(57)【特許請求の範囲】
【請求項１】
茶葉を漉して茶を抽出する茶漉し器付きティーポットであって、
お湯を貯留し、ポット本体用把手を有するポット本体と、
茶葉が通り抜けることができない程度の多数の孔を有する網又は多孔部材により構成されており、前記ポット本体内に懸架され、上端開口部を有する有底筒状の茶漉し器とを備えており、
前記茶漉し器は、投入される茶葉の量に応じたお湯の量を示す目印を周壁に備え、前記上端開口部の周縁に設けられたフランジ部に茶漉し器用把手が取り付けられており、
前記目印は、前記茶漉し器の周壁内周面に形成されており、
前記茶漉し器用把手は、前記茶漉し器が前記ポット本体内に装着されたときに、前記ポット本体用把手と部分的に当接するように、または、前記ポット本体用把手の形状に全体的に沿うように、形成されており、前記ポット本体用把手と前記茶漉し器用把手とを同時に一体的に把持することができるように構成された茶漉し器付きティーポット。  
【請求項２】
前記目印は、前記周壁の周方向に沿って延びる帯状に形成されている請求項１に記載の茶漉し器付きティーポット。  
【請求項３】
前記目印は、金属材料により形成されている請求項１又は２に記載の茶漉し器付きティーポット。  
【発明の詳細な説明】
【技術分野】
【０００１】
本発明は、茶漉し付きティーポットに関する。
【背景技術】
【０００２】
従来、紅茶や緑茶等の茶葉をお湯に浸して飲料（以下、お茶という）とするためにティーポットが使用されている（例えば、特許文献１等参照）。この種のティーポットは、図２９に示すように、お湯が貯留されるポット本体１０１と、このポット本体１０１内に着脱自在に装着される茶漉し器１０２と、ポット本体の上端開口部を閉塞する上蓋１０３とを備えている。
【０００３】
このように構成されるティーポット１００を用いて、例えば紅茶を作る場合、紅茶の茶葉が収納されている袋や缶から、作りたい人数分に相当する茶葉の分量を計量さじを用いて取り出した後、茶漉し器１０２内に投入し、別途沸かしていたお湯をポット本体１０１に注ぎ入れることにより行われている。ポット本体１０１にお湯を注ぎ入れる際には、紅茶飲用時に使用するティーカップに一端お湯を入れ、その後ティーカップからポット本体１０１にお湯を移し変えることにより、作りたい人数分に相当するお湯の量がポット本体１０１内に注ぎ入れられるようにしている。
【特許文献１】特開２００４−３２９５８９号公報
【発明の開示】
【発明が解決しようとする課題】
【０００４】
しかしながら、上述のような方法により、例えば、紅茶を作る場合、ティーカップに一端お湯を入れた後、そのお湯をポット本体に入れ直すという工程を経るため、ポット本体に注がれるお湯の温度が低下するという問題があった。おいしい紅茶を作るためには、ポット本体に注がれるお湯により茶葉が完全に開くことが必要であり、そのためには、ポット本体に注がれるお湯の温度が９０℃以上（より好ましくは９５℃以上）であることが要求されるが、上述のような方法では、ポット本体に注がれるお湯の温度が９０℃以下に低下するおそれがあった。
【０００５】
また、飲用時に使用されるティーカップの容量は、ティーカップの種類ごとに変化するので、異なる種類のティーカップを仕様する度に、計量さじにより計量した茶葉の分量に対するお湯の量が常に一定にならないという問題もあった。このように茶葉の量とお湯の量とのバランスが崩れる結果、作ったお茶の味が変化することになり、常においしいお茶を作ることが困難になる。
【０００６】
本発明は、このような問題を解決するためになされたものであって、おいしいお茶を簡単にかつ確実に作ることができる茶漉し付きティーポットを提供することを目的とする。
【課題を解決するための手段】
【０００７】
本発明の上記目的は、茶葉を漉して茶を抽出する茶漉し器付きティーポットであって、お湯を貯留するポット本体と、前記ポット本体内に懸架され、上端開口部を有する有底筒状の茶漉し器とを備えており、前記茶漉し器は、投入される茶葉の量に応じたお湯の量を示す目印を周壁に備えている茶漉し器付きティーポットにより達成される。
【０００８】
また、この茶漉し器付きティーポットにおいて、前記目印は、前記茶漉し器の周壁内周面に形成されていることが好ましい。
【０００９】
また、前記目印は、前記周壁の周方向に沿って延びる帯状に形成されていることが好ましい。
【００１０】
また、前記目印は、金属材料により形成されていることが好ましい。
【発明の効果】
【００１１】
本発明によれば、おいしいお茶を簡単にかつ確実に作ることができる茶漉し付きティーポットを提供することができる。
【発明を実施するための最良の形態】
【００１２】
以下、茶葉を漉してお茶を抽出する本発明に係る茶漉し付きティーポットについて添付図面を参照して説明する。図１〜図７は、本発明の一実施形態に係る茶漉し付きティーポット１を示すものであり、図１は正面図、図２は背面図、図３は平面図、図４は底面図、図５は右側面図、図６は図１のＡ−Ａ断面図、図７は図３のＢ−Ｂ断面図である。図８〜図１４は、茶漉し付きティーポット１を構成するポット本体２を示すものであり、図８は正面図、図９は背面図、図１０は平面図、図１１は底面図、図１２は右側面図、図１３は図８のＣ−Ｃ断面図、図１４は図１０のＤ−Ｄ断面図である。また、図１５〜図２１は、茶漉し付きティーポット１を構成する茶漉し器３を示すものであり、図１５は正面図、図１６は背面図、図１７は平面図、図１８は底面図、図１９は右側面図、図２０は図１５のＥ−Ｅ断面図、図２１は図１７のＦ−Ｆ断面図である。更に、図２２〜図２８は、茶漉し付きティーポット１を構成する上蓋４を示すものであり、図２２は正面図、図２３は背面図、図２４は平面図、図２５は底面図、図２６は右側面図、図２７は図２２のＧ−Ｇ断面図、図２８は図２４のＨ−Ｈ断面図である。
【００１３】
図１〜図７に示すように、茶漉し付きティーポット１は、ポット本体２、茶漉し器３及び上蓋４を備えている。
【００１４】
ポット本体２は、お湯を貯留する容器であり、例えば、陶器や磁器、ガラス、金属材料、プラスチック等の合成樹脂材料等により形成することができる。このポット本体２は、ポット本体２内で抽出されたお茶をティーカップに注ぐための注ぎ口２１と、ポット本体用把手２２と、ポット本体２の上部に形成され茶漉し器３及び上蓋４が組み付くポット開口部２３とを備えている。注ぎ口２１とポット本体用把手２２とは相対向して設けられている。ポット開口部２３の開口縁には、外周側より内周側に向けて漸次下方に傾斜するテーパー部２４が形成されており、このテーパー部２４の内周側には、茶漉し器３が懸架される環状の平坦部２５が連続して形成されている。また、ポット本体用把手２２に近接するテーパー部２４の一部には、切り欠き２６が形成されており、ポット本体２に懸架される茶漉し器３が有する後述の茶漉し器用把手３７の一部分を当該切り欠き２６内に配置できるように構成されている。なお、本実施形態においては、ポット本体２は、二人前分のお茶を作ることができる容量（ティーカップ４杯分）を備えるように構成されている。
【００１５】
茶漉し器３は、茶葉が通り抜けることができない程度の多数の孔を有する網又は多孔部材により構成されており、上端開口部３１を有する有底筒状に形成されている。この茶漉し器３は、例えば、ステンレス等の金属材料、或いは、プラスチック等の合成樹脂により形成される。茶漉し器３の底壁３２の外周縁には補強用の底枠３３が設けられており、周壁３４には２本の支柱３５，３５が設けられている。２本の支柱３５，３５は、底枠３３から立設している。
【００１６】
また、茶漉し器３の上端開口部３１の周縁には、フランジ部３６が設けられており、当該フランジ部３６には茶漉し器用把手３７が取り付けられている。フランジ部３６の外径は、ポット開口部２３の開口縁の内径よりも大きく形成されており、茶漉し器３をポット本体２内に装着した際に、フランジ部３６がポット開口部２３の開口縁に当接し、茶漉し器３を懸架できるように構成されている。
【００１７】
茶漉し器用把手３７は、茶漉し器３がポット本体２内に装着されたときに、ポット本体用把手２２と部分的に当接するように形成されている。このような構成により、抽出されたお茶をティーポットに注ぐ際に、ポット本体用把手２２と茶漉し器用把手３７とを同時に一体的に把持することができ、安定してお茶をティーカップに注ぐことができる。なお、ポット本体用把手２２の形状に全体的に沿うように茶漉し器用把手３７の形状を形成してもよい。
【００１８】
また、この茶漉し器３は、ポット本体２内に懸架したときに、ポット本体２の底部２ａと、茶漉し器３の底壁３２との間に空間２７が形成されるように、フランジ部３６から底壁３２までの長さが設定されている。これにより、ポット本体２内に注ぎ入れられたお湯の対流効果により、茶漉し器３に投入された茶葉と、お湯とが効率よく接触することが可能になり、茶の抽出を確実且つ効率よく行うことが可能になる。
【００１９】
また、茶漉し器３の周壁３４には、茶漉し器３に投入される茶葉の量に応じたお湯の量を示す目印３８が設けられている。本実施形態においては、一人前に相当する茶葉の分量に対して最適なお湯の量を示す位置に目印３８を設けている。目印３８は、例えばステンレス等の金属材料や、プラスチック等の合成樹脂材料により形成されており、茶漉し器３の周壁３４の内周面に配置されている。この目印３８は、周壁３４の周方向に沿って延びる帯状に形成されることが好ましい。
【００２０】
上蓋４は、ポット本体２のポット開口部２３を着脱自在に閉塞する部材であり、例えば、陶器や磁器、ガラス、金属材料、プラスチック等の合成樹脂材料等により形成することができる。この上蓋４は、ポット開口部２３を閉塞するドーム型の蓋本体部４１と、当該蓋本体部４１の頂点部に取り付けられる摘み部４２と、蓋本体部４１の下部に形成される垂下周壁部４３とを有している。垂下周壁部４３は、ポット本体２に装着された茶漉し器３内に嵌り込むことができるように形成されている。この垂下周壁３４の長さは、ポット本体２を傾けて注ぎ口２１から茶をティーポットに注ぐ際に、ポット開口部２３から上蓋４が脱落しないように長めに形成することが好ましい。
【００２１】
このように構成された茶漉し付きティーポット１を用いて、例えば一人前の紅茶を抽出する方法について以下説明する。なお、本実施形態に係る茶漉し付きティーポット１は、発酵茶である紅茶の他、緑茶等の不発酵茶や、烏龍茶及びプーアール茶等の中国茶や、豆茶、柿の葉茶、びわ茶等の木の葉、薬草を乾燥させて作られた健康茶を抽出する際にも使用することができる。
【００２２】
まず、ポット本体２のポット開口部２３に形成されている環状の平坦部２５に、茶漉し器３のフランジ部３６を載置することにより茶漉し器３をポット本体２内部に懸架する。次に、紅茶の茶葉が収納されている袋や缶から、計量さじを用いて一人前分の茶葉を取り出して茶漉し器３内に投入する。
【００２３】
そして、別途沸かしたお湯を茶漉し器３の上端部開口からポット本体２内に注ぎ入れる。このとき、茶漉し器３の周壁３４に設けられた目印３８の位置までお湯を注ぎ入れる。その後、ポット本体２のポット開口部２３に上蓋４を載置して、ポット本体２内を保温しながら紅茶を抽出する。紅茶の抽出時間は、例えば、薄い味が好きか、或いは、濃い味が好きか等の飲用する人の好みに応じて適宜設定することができる。
【００２４】
紅茶の抽出完了後、上蓋４を取り外した後、茶漉し器用把手３７を持って茶漉し器３をポット本体２から取り外し、再度、上蓋４のみをポット本体２のポット開口部２３に載置する。そして、注ぎ口２１を介して、ティーカップに紅茶を注ぎ飲用する。なお、茶漉し器３をポット本体２内から取り外すことなく、ティーカップに紅茶を注ぎ入れて、飲用してもよい。
【００２５】
本実施形態に係る茶漉し付きティーポット１は、茶漉し器３に投入される茶葉の量に対して最適なお湯の量を示す目印３８を茶漉し器３の周壁３４に備えているので、お湯をポット本体２に注ぐ際に、従来のようにティーカップを用いてお湯の量を計量する必要がなく、茶葉の量に対して最適な量の沸騰したお湯を薬缶等からポット本体２に直接注ぐことができる。このように、ポット本体２に注がれるお湯の温度が低下することを防止して、９０℃以上の温度のお湯をポット本体２に確実に注ぐことができるので、茶葉から充分なお茶を抽出することができ、おいしいお茶を確実かつ容易に作ることができる。
【００２６】
更に、茶漉し器３に投入される茶葉の量に対して最適なお湯の量を示す目印３８を茶漉し器３の周壁３４に備えているので、茶葉の分量と、ポット本体２に注がれるお湯の量との関係を常に一定の状態に維持できるため、お茶の抽出時間を管理するだけで、常に一定の味を有するおいしいお茶（飲用する人の好みに合致したお茶）を何人も容易に作ることができる。
【００２７】
また、二人前分の容量を持つポット本体を有するティーポットを用いて、一人前分のお茶をおいしく作ることは一般的に難しいことではあるが、本実施形態に係る茶漉し付きティーポット１を使用すれば、茶漉し器３の周壁３４に一人前分のお湯の量に対応する目印が設けられているので、二人前分の容量を持つティーポットを用いて一人前分のおいしいお茶を容易に作ることが可能になる。
【００２８】
また、目印３８が、茶漉し器３の周壁３４の内周面に設けられているので、茶漉し器３が装着されたポット本体２にお湯を注ぐ際に、茶漉し器３の上端開口部３１を介して直接的に目印３８を視認することができる。この結果、誤った量のお湯をポット本体２に注ぐことを確実に防止することができる。
【００２９】
更に、目印３８が、茶漉し器３の周壁３４の周方向に沿って延びる帯状に形成されているので、茶漉し器３が装着されたポット本体２にお湯を注ぐ際に、どのような方向から茶漉し器３内部を見たとしても目印３８を確実に視認することができ、茶漉し器３に投入された茶葉の量に応じたお湯の量を確実にポット本体２に注ぐことが可能になる。
【００３０】
また、光を透過させない材料（例えば、陶器や磁器、金属材料、透明でない合成樹脂材料等）によりポット本体２を形成した場合、ポット本体２内は薄暗くなり、内部を視認し難くなる。このような場合、ステンレス等の金属材料により目印３８を形成することによって、当該目印３８が光を反射するので、薄暗いポット本体２内部に設置される茶漉し器３に形成される目印３８の位置を良好に視認することができ、所定量のお湯を確実にポット本体２内に注ぎ入れることが可能になる。特にステンレスにより目印３８を形成した場合、当該目印３８に錆びが発生することを確実に防止することができ、良好な光の反射を常時維持することができる。
【００３１】
以上、本発明に係る茶漉し付きティーポット１の一実施形態について説明したが、本発明の具体的な構成は、上記実施形態に限定されない。上記実施形態においては、一人前分（ティーカップ２杯分）の紅茶を作るのに適したお湯の量に相当する目印３８を茶漉し器３の周壁３４に設けるように構成したが、二人前用（ティーカップ４杯分）の紅茶を作るのに適したお湯の量に相当する目印３８を周壁３４に更に設けるように構成してもよい。
【図面の簡単な説明】
【００３２】
【図１】本発明の一実施形態に係る茶漉し付きティーポットを示す正面図である。
【図２】図１に示す茶漉し付きティーポットの背面図である。
【図３】図１に示す茶漉し付きティーポットの平面図である。
【図４】図１に示す茶漉し付きティーポットの底面図である。
【図５】図１に示す茶漉し付きティーポットの右側面図である。
【図６】図１のＡ−Ａ断面図である。
【図７】図３のＢ−Ｂ断面図である。
【図８】本発明の一実施形態に係る茶漉し付きティーポットを構成するポット本体を示す正面図である。
【図９】図８に示すポット本体の背面図である。
【図１０】図８に示すポット本体の平面図である。
【図１１】図８に示すポット本体の底面図である。
【図１２】図８に示すポット本体の右側面図である。
【図１３】図８のＣ−Ｃ断面図である。
【図１４】図１０のＤ−Ｄ断面図である。
【図１５】本発明の一実施形態に係る茶漉し付きティーポットを構成する茶漉し器を示す正面図である。
【図１６】図１５に示す茶漉し器の背面図である。
【図１７】図１５に示す茶漉し器の平面図である。
【図１８】図１５に示す茶漉し器の底面図である。
【図１９】図１５に示す茶漉し器の右側面図である。
【図２０】図１５のＥ−Ｅ断面図である。
【図２１】図１７のＦ−Ｆ断面図である。
【図２２】本発明の一実施形態に係る茶漉し付きティーポットを構成する上蓋を示す正面図である。
【図２３】図２２に示す上蓋の背面図である。
【図２４】図２２に示す上蓋の平面図である。
【図２５】図２２に示す上蓋の底面図である。
【図２６】図２２に示す上蓋の右側面図である。
【図２７】図２２のＧ−Ｇ断面図である。
【図２８】図２４のＨ−Ｈ断面図である。
【図２９】従来の茶漉し付きティーポットを示す概略構成断面図である。
【符号の説明】
【００３３】
１  茶漉し付きティーポット
２  ポット本体
２１  注ぎ口
２２  ポット本体用把手
２３  ポット開口部
３  茶漉し器
３１  上端開口部
３２  底壁
３４  周壁
３７  茶漉し器用把手
３８  目印
４  上蓋
【図１】
0004476316.tif 000002
【図２】
0004476316.tif 000003
【図３】
0004476316.tif 000004
【図４】
0004476316.tif 000005
【図５】
0004476316.tif 000006
【図６】
0004476316.tif 000007
【図７】
0004476316.tif 000008
【図８】
0004476316.tif 000009
【図９】
0004476316.tif 000010
【図１０】
0004476316.tif 000011
【図１１】
0004476316.tif 000012
【図１２】
0004476316.tif 000013
【図１３】
0004476316.tif 000014
【図１４】
0004476316.tif 000015
【図１５】
0004476316.tif 000016
【図１６】
0004476316.tif 000017
【図１７】
0004476316.tif 000018
【図１８】
0004476316.tif 000019
【図１９】
0004476316.tif 000020
【図２０】
0004476316.tif 000021
【図２１】
0004476316.tif 000022
【図２２】
0004476316.tif 000023
【図２３】
0004476316.tif 000024
【図２４】
0004476316.tif 000025
【図２５】
0004476316.tif 000026
【図２６】
0004476316.tif 000027
【図２７】
0004476316.tif 000028
【図２８】
0004476316.tif 000029
【図２９】
0004476316.tif 000030